【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ディスク形状電極と、前記ディスク形状電極の外周を取り囲むリング形状電極とを備える電極アセンブリを流体内である速度で回転することであって、前記電極アセンブリの回転が、前記流体の少なくとも一部を引き込む、回転することと、
前記流体の少なくとも一部が、前記電極アセンブリの回転によって、前記ディスク形状電極及び前記リング形状電極を横断する時に、前記ディスク形状電極と前記リング形状電極との間の電位差を測定することと、
前記電位差を用いて前記流体の流動電位を決定することと
を含む方法。
【請求項２】
前記流体が前記ディスク形状電極及び前記リング形状電極を横断する流体速度の関数として、前記流体の前記流動電位を決定することをさらに含む、請求項１に記載の方法。
【請求項３】
前記流体の前記流動電位は、前記流体内で前記電極アセンブリを複数の異なる回転速度で回転すること、前記複数の異なる回転速度で前記ディスク形状電極と前記リング形状電極との間の複数の異なる電位差を測定すること、前記電極アセンブリが対応する前記異なる回転速度で回転される場合に前記ディスク形状電極及び前記リング形状電極を横断する前記流体の複数の異なる流体速度を決定すること、並びに対応する前記異なる流体速度で前記流体の一又は複数の流動電位を決定すること、によって前記流体速度の関数として決定される、請求項２に記載の方法。
【請求項４】
前記電極アセンブリは、絶縁間隙によって分離されている前記ディスク形状電極及び前記リング形状電極を備える、請求項１から３のいずれか一項に記載の方法。
【請求項５】
前記電極アセンブリを一又は複数の追加流体の中で回転すること、前記一又は複数の追加流体に対して前記ディスク形状電極と前記リング形状電極との間の一又は複数の追加の電位差を測定すること、前記一又は複数の追加の電位差を用いて前記一又は複数の追加流体に対して一又は複数の追加の流動電位を決定すること、並びに、前記流体の前記流動電位と前記一又は複数の追加流体の前記一又は複数の追加の流動電位とを比較することにより、機械の中で使用される少なくとも１つの前記流体又は前記一又は複数の追加流体を選択すること、をさらに含む、請求項１から４のいずれか一項に記載の方法。
【請求項６】
測定される前記電位差は、前記ディスク形状電極及び前記リング形状電極を含む電子回路に対する前記ディスク形状電極と前記リング形状電極との間の開回路電圧を表す、請求項１から５のいずれか一項に記載の方法。
【請求項７】
前記電極アセンブリの回転により、前記ディスク形状電極及び前記リング形状電極の双方を前記回転速度で回転させる、請求項１から６のいずれか一項に記載の方法。
【請求項８】
前記流体は非電解質溶液又は水溶液である、請求項１から７のいずれか一項に記載の方法。
【請求項９】
絶縁間隙によって互いに分離されたディスク形状電極と、前記ディスク形状電極の外周を取り囲むリング形状電極とを備える電極アセンブリと、
前記ディスク形状電極及び前記リング形状電極が流体内に沈められている間、前記ディスク形状電極及び前記リング形状電極を検査中の前記流体内で回転するため、前記電極アセンブリに結合されるように構成されている作動装置と、
前記電極アセンブリの前記ディスク形状電極及び前記リング形状電極に導電的に結合されるように構成されている電気エネルギー感知装置であって、前記作動装置が前記電極アセンブリをある回転速度で回転することによって、前記流体が前記ディスク形状電極及び前記リング形状電極を横断する時に、前記ディスク形状電極と前記リング形状電極との間の電位差を測定するように構成されている電気エネルギー感知装置と
を備え、測定される前記電位差は前記流体の流動電位を表している、システム。
【請求項１０】
前記作動装置は前記流体内で前記電極アセンブリを複数の異なる回転速度で回転するように構成されており、前記エネルギー感知装置は対応する前記複数の異なる回転速度で前記ディスク形状電極と前記リング形状電極との間の複数の異なる電位差を測定するように構成されており、前記異なる回転速度によって前記流体は、対応する複数の異なる流体速度で前記ディスク形状電極及び前記リング形状電極を横断し、また、前記流体の前記流動電位は、前記複数の異なる電位差と前記複数の異なる流体速度を用いて前記流体速度の関数として決定されうる、請求項９に記載のシステム。
【請求項１１】
前記絶縁間隙は前記ディスク形状電極と前記リング形状電極との間のリング形状の分離である、請求項９または１０に記載のシステム。
【請求項１２】
前記電極アセンブリの前記絶縁間隙は、前記ディスク形状電極と前記リング形状電極との間に配設された誘電体を含む、請求項９または１０に記載のシステム。
【請求項１３】
前記電気エネルギー感知装置は、前記ディスク形状電極及びリング形状電極を含む電子回路に対する前記ディスク形状電極と前記リング形状電極との間の開回路電圧として、前記電位差を測定するように構成されている、請求項９から１２のいずれか一項に記載のシステム。
【請求項１４】
前記作動装置は、前記ディスク形状電極及び前記リング形状電極の双方が前記回転速度で回転されるように、前記電極アセンブリを回転するように構成されている、請求項９から１３のいずれか一項に記載のシステム。
【請求項１５】
絶縁間隙によって互いに分離されているディスク形状電極と、前記ディスク形状電極の外周を取り囲むリング形状電極とを流体内に少なくとも部分的に沈めることと、
前記ディスク形状電極及び前記リング形状電極を流体内で同じ回転速度で回転することであって、前記ディスク形状電極と前記リング形状電極とが同じ回転速度で回転することによって、前記流体は動径方向の流体速度で前記ディスク形状電極及び前記リング形状電極を横断する、回転することと、
前記流体が前記動径方向の流体速度で前記ディスク形状電極及び前記リング形状電極を横断する時に、前記ディスク形状電極と前記リング形状電極との間の電位差を測定することと、
前記電位差及び前記動径方向の流体速度を用いて、前記流体の流動電位を流体速度の関数として決定することと、を含む方法。
【請求項１６】
前記ディスク形状電極及び前記リング形状電極は、前記ディスク形状電極と前記リング形状電極との回転によって前記ディスク形状電極及び前記リング形状電極が双方とも同じ回転速度で共通軸の周りを回転するように、誘電体によって互いに結合されている、請求項１５に記載の方法。
【請求項１７】
前記流体の前記流動電位は、前記ディスク形状電極及び前記リング形状電極を含む電極アセンブリを複数の異なる回転速度で回転すること、前記電極アセンブリが前記複数の異なる回転速度で回転される場合に前記ディスク形状電極と前記リング形状電極との間の複数の異なる電位差を測定すること、前記流体が前記ディスク形状電極及び前記リング形状電極を前記複数の異なる回転速度で横断する際の複数の異なる流体速度を決定すること、並びに前記複数の異なる流体速度で前記流体の複数の異なる流動電位を決定すること、によって前記流体速度の関数として決定される、請求項１５または１６に記載の方法。
【請求項１８】
前記流体は非電解質溶液又は水溶液である、請求項１５から１７のいずれか一項に記載の方法。
【請求項１９】
一又は複数の追加流体の一又は複数の追加の流動電位を、一又は複数の追加流体の流体速度の関数として決定すること、並びに前記流動電位或いは一又は複数の追加の流動電位に基づいて、機械の中で使用される少なくとも１つの前記流体或いは一又は複数の追加流体を流体速度の関数として選択することをさらに含む、請求項１５から１８のいずれか一項に記載の方法。